(57)【要約】      （修正有）【課題】夜間時に来訪者があった場合に、夜間照明を徐々に点灯させ、玄関周辺の映像の視認性を高めたテレビインターホン装置を提供する。【解決手段】来訪者を撮像する為のカメラを備えた玄関子機と、玄関子機のカメラが撮像した映像を表示するモニタを備えた居室親機とで構成されたインターホン装置において、来訪者が居住者を呼び出す為の呼出ボタンと、玄関子機周辺の照度を判断する夜間判断部と、前記夜間判断部で夜間と判断された時、来訪者を照らす夜間撮像用照明と、カメラで撮像した映像に顔の有無の検知を行う顔検知部と、顔検知部にて顔が未検知とされた時、夜間撮像用照明へ漸増電源供給制御すると共に、顔検知部にて顔が検知された時、夜間撮像用照明への機能を停止させる夜間照明電源調整部を備える。【選択図】図１
2011176780.tif 000002
【特許請求の範囲】
【請求項１】
来訪者を撮像する為のカメラ（１０１）を備えた玄関子機（１）と、前記カメラが撮像した映像を表示するモニタ（２０１）を備えた居室親機（２）とで構成されたインターホン装置において、
来訪者が居住者を呼び出す為の呼出ボタン（１０３）と、前記玄関子機周辺の照度を判断する夜間判断部（１０８）と、前期夜間判断部で夜間と判断された時、来訪者を照らす夜間撮像用照明（１０９）と、前記カメラで撮像した映像に顔の有無の検知を行う顔検知部（２０７１）と、前記顔検知部にて顔が未検知とされた時、前記夜間撮像用照明へ漸増電源供給制御すると共に、前記顔検知部にて顔が検知された時、前記夜間撮像用照明への機能を停止させる夜間照明電源調整部（１１０）を備えたことを特徴とするテレビインターホン装置。
【請求項２】
前記居室親機には、居住者が玄関周辺の不審者に向けて威嚇発報動作を行なうための威嚇ボタン（２０８）と、
前記玄関子機には、前記威嚇ボタンが操作された時、前記夜間照明電源調整部から前記夜間撮像用照明への漸増電源供給を無効とする電源調整無効部（１０７１）を備えたことを特徴とする請求項１のテレビインターホン装置。
【請求項３】
家屋に設置され家屋の異常を検出するセンサ（３）を備え、
前記玄関子機には、前記センサで異常を検出した時、前記夜間照明電源調整部から前記夜間撮像用照明への漸増電源供給を無効とする電源調整無効部（１０７１）を備えたことを特徴とする請求項１又は請求項２記載のテレビインターホン装置。
【発明の詳細な説明】
【技術分野】
【０００１】
本発明はテレビインターホン装置に係わり、特に、夜間時に来訪者があった場合に、夜間照明を徐々に点灯させることで、玄関周辺の映像の視認性を高めたテレビインターホン装置に関する。
【背景技術】
【０００２】
従来から、来訪者があった場合に、来訪者を確認することができるようなテレビインターホン装置が知られている。例えば、特許文献１には、来訪者が玄関子機の呼出ボタンを押下すると、居室親機に呼出音が放音されると共に、玄関子機のカメラにて撮像した玄関周辺の映像をモニタに表示させて視認性を高めていた。このとき、来訪者が尋ねた時間帯が夜間の場合は、玄関子機の夜間照明を点灯させることによって、夜間時でも玄関周辺の映像の視認性を高めていた。しかし、夜間時に照明が突然点灯すると、来訪者に不快感を与えてしまっていたため、徐々に照明の照度を上げることによって不快感を低減させていた。
【先行技術文献】
【特許文献】
【０００３】
【特許文献１】特開平１１−２７６５５
【発明の開示】
【発明が解決しようとする課題】
【０００４】
しかしながら、従来のテレビ付インターホン装置は、夜間照明の照度を徐々に上げていたが、一定時間経過した後は最大照度で照射しており、来訪者が玄関子機に近い場合には照明光が眩しくて不快感を与えてしまう虞があった。
【０００５】
本発明はこのような問題点に鑑み、来訪者が呼出ボタンを押下したとき、玄関子機のカメラで撮像した映像に顔が認識できるまで夜間照明の照度を徐々に上げ、顔が検知できたとき夜間照明の照度を一定に保つことによって、玄関先の映像の視認性を上げると共に、来訪者への不快感を抑えることができるテレビインターホン装置を提供する。
【課題を解決するための手段】
【０００６】
上記課題を解決するために、請求項１に記載の発明は、来訪者を撮像する為のカメラを備えた玄関子機と、カメラが撮像した映像を表示するモニタを備えた居室親機とで構成されたインターホン装置において、来訪者が居住者を呼び出す為の呼出ボタンと、玄関子機周辺の照度を判断する夜間判断部と、前期夜間判断部で夜間と判断された時、来訪者を照らす夜間撮像用照明と、カメラで撮像した映像に顔の有無の検知を行う顔検知部と、顔検知部にて顔が未検知とされた時、夜間撮像用照明へ漸増電源供給制御すると共に、顔検知部にて顔が検知された時、夜間撮像用照明への機能を停止させる夜間照明電源調整部を備えたことを特徴とする。
【０００７】
また、請求項２の発明は、居室親機には、居住者が玄関周辺の不審者に向けて威嚇発報動作を行なうための威嚇ボタンと、玄関子機には、威嚇ボタンが操作された時、夜間照明電源調整部から夜間撮像用照明への漸増電源供給を無効とする電源調整無効部を備えたことを特徴とする。
【０００８】
また、請求項３の発明は、家屋に設置され家屋の異常を検出するセンサを備え、玄関子機には、センサで異常を検出した時、夜間照明電源調整部から夜間撮像用照明への漸増電源供給を無効とする電源調整無効部を備えたことを特徴とする。
【発明の効果】
【０００９】
請求項１の発明によれば、夜間時に来訪者があった場合に、夜間照明を徐々に点灯させ、来訪者の顔が判断できる照度まで上げることによって、玄関周辺の映像の視認性を高めるとともに、来訪者に照射される照明によって与える不快感を低減させることができる。
請求項２の発明よれば、居室親機からの操作で夜間照明を急激に点灯させて玄関周辺の人物に威嚇をすることができる。
請求項３の発明によれば、玄関周辺で人物を感知すると夜間照明を急激に点灯させて玄関周辺の人物に威嚇をすることができる。
【図面の簡単な説明】
【００１０】
【図１】本発明に係るテレビインターホン装置のブロック図である。
【発明を実施するための形態】
【００１１】
以下、本発明のテレビインターホン装置を好ましい実施の形態について図面を参照して説明する。図１にはテレビインターホン装置のブロック図を示しており、来訪者が居住者を呼び出すための玄関子機１と、呼び出しに対して居住者が応答するための居室親機２と、玄関周辺に人物を検知した時に撮像を行うセンサカメラ３で構成されている。
玄関子機１には、来訪者を撮像するカメラ１０１と、カメラ１０１からの映像信号を変調する変調部１０２と、来訪者が居住者を呼び出すための呼出ボタン１０３と、居室親機２と通話するための子機スピーカ１０４、子機マイク１０５、子機音響部１０６と、玄関周辺の照度を判断する夜間判断部１０８と、玄関周辺の照度が低いとき、玄関周辺の照度を上げるための夜間撮像用照明１０９と、夜間撮像用照明１０９に徐々に電力を供給する夜間照明電源調整部１１０と、玄関子機１を制御する子機ＣＰＵ１０７と、居室親機２と通信を行うための子機Ｉ／Ｆ１１１で構成されている。
夜間照明電源調整部１１０には、夜間照明電源調整部１１０の徐々に電力を供給する機能を無効とし、定常電力を供給する電源調整無効部１０７１を備えている。
居室親機２には、来訪者から居室親機２が呼び出されたときに応答操作を行うための通話ボタン２０３と、変調部１０３からの変調映像信号を映像信号に復調する復調部２０２と、映像信号を出力するモニタ２０１と、居住者が来訪者と通話するための親機スピーカ２０４、親機マイク２０５、親機音響部２０６と、居住者が玄関周辺の不審者に向けて威嚇発報動作を行なうための威嚇ボタン２０８と、居室親機２の各部を制御するための親機ＣＰＵ２０７と、玄関子機１と通信を行うための親機I／F２０８を備えている。
親機ＣＰＵ２０７には、カメラ１０１で撮像した映像に顔の有無の検知を行う顔検知部２０７１を備えている。
【００１２】
このようなシステムにおいて、以下、動作の説明を行う。尚、玄関子機からの一般的な呼び出し及び居室親機の応答動作の説明は本発明の要部ではないので省略し、夜間時に夜間撮像用照明の照度を徐々に上げる動作の説明を行う。
来訪者が呼出ボタン１０３を押下すると、来訪者の撮像するためにカメラ１０１が起動し、撮像した映像信号を変調部１０２に送信する。映像信号を受信した変調部１０２は映像信号を変調映像信号に変調すると共に、子機Ｉ／Ｆ１１１、親機Ｉ／Ｆ２０９を経由して復調部２０２に送信する。復調部２０２は変調映像信号を映像信号に復調し、モニタ２０１にて来訪者の映像を表示することができる。
また呼出ボタン１０３が押下されたとき、夜間判断部１０８が駆動し玄関周辺の照度を測定し、照度が一定値以下であった場合には、子機ＣＰＵ１０７から低照度信号を、子機Ｉ／Ｆ１１１、親機Ｉ／Ｆ２０９を経由して親機ＣＰＵ２０７に送信する。その後、顔検知部２０７１はカメラ１０１から送信されてきた映像に顔があるか検知動作を開始する。このとき、顔検知部２０７１で顔検知を行った結果、夜間時等で来訪者の顔が検知できない場合、親機ＣＰＵ２０７から漸増供給制御信号を、親機Ｉ／Ｆ２０９、子機Ｉ／Ｆ１１１、子機ＣＰＵ１０７を経由して夜間照明電源制御部１１０に送信される。すると、夜間照明電源制御部１１０が夜間撮像用照明１０９に漸増給電をすることで、照度を徐々に上げることが出来る。
【００１３】
夜間撮像用照明１０９の照度が徐々に上がってくると、顔検知部２０７１によって来訪者の顔の検知が可能となる。すると、親機ＣＰＵ２０７から漸増給電停止信号が親機Ｉ／Ｆ２０９、子機Ｉ／Ｆ１１１を経由し、夜間照明電源調整部１１０の電源調整無効部１０７１に送信される。その後、電源調整無効部１０７１は夜間照明電源制御部１１０の漸増給電制御を停止させて、徐々に上がっていた夜間撮像用照明１０９の照度を一定に保つことができる。この動作によって、来訪者の顔が認識できる程度の照度で来訪者を照らすことができるため、来訪者の不快感を低減させることができる。
【００１４】
また、威嚇ボタン２０３の押下や、センサカメラ３のセンサ検出があった場合には、親機ＣＰＵ２０７から漸増給電無効信号が親機Ｉ／Ｆ２０９、子機Ｉ／Ｆ１１１を経由し、夜間照明電源調整部１１０に送信される。夜間撮像用照明１０９は、電源調整無効部１０７１によって夜間照明電源制御部１１０の漸増給電制御が無効となり、突然、夜間撮像用照明１０９が点灯させることができる。この動作によって、不審者等に威嚇を行うことができる。また、夜間照明電源調整部１１０は居室親機２によって調整することができる。
【符号の説明】
【００１５】
１・・・                      玄関機
１０１・・・                         カメラ
１０３・・・                         呼出ボタン
１０８・・・                         夜間判断部
１０９・・・                         夜間撮像用照明
１１０・・・                         夜間照明電源調整部
２・・・                      玄関子機
２０１・・・                         モニタ
２０７１・・・         顔検知部
【図１】
2011176780.tif 000003